(57)【特許請求の範囲】
【請求項１】
車輪を備えて走行可能な車体と、
前記車体の前後左右に取り付けられて前記車体の側方に伸縮可能なアウトリガビームと、
前記アウトリガビームの先端部に上下に延びて取り付けられたアウターポスト、および前記アウターポストに内蔵されて上下に伸縮可能なインナーポストから構成され、前記インナーポストの下端部を接地させて前記車体を支持するアウトリガジャッキとを有した作業車であって、
少なくともいずれかの前記アウターポストの上部に、対象物を支持する対象物支持手段が設けられており、
対象物を前記対象物支持手段に支持させて前記インナーポストの下端部を路面から浮かせた状態で前記車輪により前記車体を支持させて前記アウトリガビームを前記車体の側方に伸縮作動させることにより、前記対象物を前記対象物支持手段に支持させた状態で前記車体の側方に移動させることが可能に構成されたことを特徴とする作業車。
【請求項２】
前記対象物の吊り上げ作業が可能なクレーン装置を備えることを特徴とする請求項１に記載の作業車。
【請求項３】
前記対象物支持手段は、断面が略凹字状の部材であることを特徴とする請求項１または２に記載の作業車。
【請求項４】
前記対象物支持手段は、前記車体の前後方向に延びた樋状の部材であることを特徴とする請求項１〜３のいずれか一項に記載の作業車。
【発明の詳細な説明】
【技術分野】
【０００１】
本発明は、車体の側方に張り出し可能なアウトリガビームを備えた作業車に関する。
【背景技術】
【０００２】
このような作業車として、例えば、穴掘建柱車が知られている（例えば、特許文献１参照）。穴掘建柱車は、車体上に旋回動、起伏動および伸縮動自在なブームが設けられている。このブームの先端にはアースオーガ装置が取り付けられており、これにより電柱等を建て入れるための建柱穴を掘削することができるようになっている。また、穴掘建柱車は、ブームと、ブームの先端に取り付けられたシーブと、ワイヤの繰り出し・巻き取りを行うウインチと、ウインチから繰り出されシーブを介して垂下されたワイヤの先端に取り付けられたフックとからなるクレーン装置を備えており、ブームの先端から吊り下げられたフックに電柱にくくりつけられたロープを引っかけて、ウインチによるワイヤの巻き上げ・繰り出し作業等により電柱を吊り上げて、掘削した建柱穴に建て入れることができるようになっている。このように、穴掘建柱車は１台の作業車をもって建柱作業を効率良く行うことが可能である。
【特許文献１】特開２０００−１７６９５号公報
【発明の開示】
【発明が解決しようとする課題】
【０００３】
従来、通信線や電力線等（以下、これらの線を「架線」と総称する）を架設させた電柱の建て替え作業においては、アースオーガ装置により既設の電柱の近傍に建柱穴を掘削した後、ブームを架線の上を跨がせ、この架線を跨いだままの状態でブームの先端から吊り下げられているフックに電柱にくくりつけられたロープを引っかけ、ウインチによりワイヤを巻き上げるなどして、道路の外側から電柱を吊り上げていた。しかしながら、このような作業は、複雑で時間がかかるとともに、かなりの熟練度が必要であった。
【０００４】
本発明は、このような課題に鑑みてなされたものであり、電柱等の対象物を所望位置に、効率良く安全に移動させることが可能な作業車を提供することを目的とする。
【課題を解決するための手段】
【０００５】
前記課題を解決するために、本発明の作業車（例えば、本実施形態における穴掘建柱車１）は、車体と、前記車体の前後左右に取り付けられて前記車体の側方に伸縮可能なアウトリガビームと、前記アウトリガビームの先端部に上下に延びて取り付けられたアウターポスト、および前記アウターポストに内蔵されて上下に伸縮可能なインナーポストから構成され、前記インナーポストの下端部を接地させて前記車体を支持するアウトリガジャッキとを有した作業車であって、少なくともいずれかの前記アウターポストの上部に、対象物を支持する対象物支持手段（例えば、本実施形態における支持ブラケット５０）が設けられており、対象物を前記対象物支持手段に支持させて前記インナーポストの下端部を路面から浮かせた状態で前記車輪により前記車体を支持させて前記アウトリガビームを前記車体の側方に伸縮作動させることにより、前記対象物を前記対象物支持手段に支持させた状態で前記車体の側方に移動させることが可能に構成されたことを特徴とする。
【０００７】
また、前記対象物の吊り上げ作業が可能なクレーン装置（例えば、本実施形態における旋回台１２、ブーム１３、図示しないウインチ、ワイヤ１７、フック１８等の総称）を備えることが望ましい。
【０００８】
また、前記対象物支持手段は、断面が略凹字状の部材であることが望ましい。
【０００９】
前記対象物支持手段は、前記車体の前後方向に延びた樋状の部材であってもよい。
【発明の効果】
【００１０】
上記構成の本発明に係る作業車によれば、アウトリガジャッキの上部に設けられた対象物支持手段に対象物を支持させることにより、アウトリガビームの張り出し機能を利用して、対象物を所望位置へと効率良く安全に移動させることが可能な作業車を提供することができる。
【００１１】
なお、前記アウトリガジャッキは、前記アウトリガビームの先端部に上下に延びて取り付けられたアウターポストと、前記アウターポストに内蔵されて下方に伸縮可能なインナーポストとより構成され、前記アウターポストの上部に前記対象物支持手段を設けることが望ましい。このような構成を有するアウトリガジャッキの上部、具体的にはアウターポストの上部に設けられた対象物支持手段に対象物を支持させることにより、アウトリガビームの張り出し機能を利用して、対象物を所望位置へと効率良く安全に移動させることができる。
【００１２】
また、前記対象物の吊り上げ作業が可能なクレーン装置を備えることが望ましい。このような構成により、対象物を対象物支持手段に運搬することが容易となるため、作業の効率および安全性を高めることができる。
【００１３】
また、前記対象物支持手段は、断面が略凹字状の部材であることが望ましい。このような構成により、対象物（特に、電柱等の円形部材）を安定して支持することが可能となるため、対象物を所望位置へと効率良く安全に移動させることができる。
【００１４】
前記対象物支持手段は、前記車体の前後方向に延びた樋状の部材であってもよい。このような構成により、対象物が長尺物であっても容易に支持することが可能となるため、対象物を所望位置へと効率良く安全に移動させることができる。
【発明を実施するための最良の形態】
【００１５】
以下、図面を参照して本発明の好ましい実施形態について説明する。図１および図２に、本実施形態に係る支持ブラケット５０を備えた作業車の一例として穴掘建柱車を示す。
【００１６】
この穴掘建柱車１は、車体１１の前後左右に前後輪を有して走行可能であり、車体１１の前部に運転キャブ１１ａを有したトラック車両をベースに構成される。このトラック車両の車体１１の前部には、旋回台１２が図示しない油圧モータにより旋回動自在に取り付けられている。さらに、旋回台１２の上部にはブーム１３が起伏動自在に取り付けられている。このブーム１３は、基端ブーム１３ａ、中間ブーム１３ｂ、先端ブーム１３ｃからなる入れ子式の３段のブームであり、図示しない内蔵伸縮シリンダにより伸縮動自在に構成されている。
【００１７】
先端ブーム１３ｃ先端には、ブームヘッド２０が固着されており、このブームヘッド２０の内部に回転自在に取り付けられた図示しないシーブを介して、ワイヤ１７によりフック１８が吊り下げられている。基端ブーム１３ｃの基端部には図示しないウインチが設けられており、このウインチによるワイヤ１７の巻き取り・繰り出しを行い、フック１８の引き上げ・引き下げができるようになっている。
【００１８】
ブーム１３には、長手方向にスライド移動自在にオーガブラケット１４が取り付けられており、このオーガブラケット１４の下側には建柱穴を掘削するアースオーガ装置１５が取り付けられている。アースオーガ装置１５は、オーガブラケット１４に枢結された連結ロッド部材１５ａと、連結ロッド部材１５ａの先端に取り付けられたオーガ駆動装置１５ｂと、オーガ駆動装置１５ｂにより回転駆動されるオーガスクリュー１５ｃとから構成される。なお、オーガ駆動装置１５ｂは油圧モータを有し、車体側から供給される油圧力を受けてオーガスクリュー１５ｃを回転駆動する。
【００１９】
アースオーガ装置１５を使用するときには、オーガブラケット１４を先端ブーム１３ｃに結合して先端ブーム１３ｃの伸縮に応じてアースオーガ装置１５全体を所望の位置まで移動させる。一方、アースオーガ装置１５を使用しないときには、オーガブラケット１４を基端ブーム１３ａに結合させるとともにアースオーガ装置１５を基端ブーム１３ａの側方に沿った位置に格納保持する。なお、この状態においてフック１８による吊り下げ作業が可能である。
【００２０】
車体１における運転キャブ１１ａの直後方で旋回台１２の前には、作業操作台３０が立設されている。この作業操作台３０は、作業者が座る椅子３１と、その前に位置する操作装置３２とからなり、椅子３１に座った作業者が操作装置３２の操作レバー３３等を操作して後述する各種作動操作を行う。
【００２１】
さらに、図３に示すように、車体１１の前後左右には、作業時において車体１１を支持するアウトリガ装置４０が設けられている。各アウトリガ装置４０は、車幅方向に延びて車体に取り付けられたアウトリガビーム４１と、アウトリガビーム４１の先端に下方に延びて取り付けられたアウトリガジャッキ４２とから構成される。アウトリガビーム４１は車体１１の車幅方向に延びて固設されたビームボックスとビームボックス内に伸縮自在に配設されたビームロッドとからなり、ビームロッドの先端にアウトリガジャッキ４２が取り付けられ、ビームロッドをビームボックスに対して伸長させることにより、アウトリガジャッキ４２を車体側方に格納した位置から車体外側（車幅方向）に張り出させることができる。
【００２２】
なお、本実施形態においては、前後するアウトリガビーム４１を同時に同じ量だけ張り出すことができるように、各アウトリガビーム４１にはそれぞれ車体側方への張出量を検出する張出量センサが、作業操作台３０には中立位置から左右方向に傾動操作可能であるビーム操作レバーが設けられており、張出量センサからの検出情報とビーム操作レバーの傾動方向及び傾動量の情報はコントローラに出力されるようになっている（張出量センサ、ビーム操作レバー及びコントローラはいずれも不図示）。コントローラは、ビーム操作レバーが傾動操作されて傾動方向及び傾動量の情報が出力されると、前記レバーの傾動方向と同じ方向にある前後のアウトリガビーム４１において、張出量センサにより検出された張出量が前記レバーの傾動量と対応するように、上記検出情報をフィードバックさせながら、該アウトリガビーム４１の作動を制御する。このような構成により、例えば、作業者によりビーム操作レバーが左に傾動操作された場合、該レバーの傾動方向である車体左側の前後するアウトリガビーム４１を、同時に、前記レバーの傾動量に応じた作動量で同じだけ張り出すことができるようになっている。
【００２３】
アウトリガジャッキ４２は、ビームロッドの先端に結合されたアウターポスト４２ａと、アウターポスト４２ａ内に内蔵されて下方に伸縮可能なインナーポスト４２ｂと、インナーポスト４２ｂの下端に取り付けられた接地板４２ｃとからなる。このため、内蔵油圧シリンダによりインナーポスト４２ｂを下方に伸長させて接地板４２ｃを接地させ、車体１１を支持可能である。
【００２４】
なお、旋回台１２の旋回作動、ブーム１３の起伏および伸縮作動、ウインチの作動、オーガ駆動装置１５ｂの作動、アウトリガビーム４１およびアウトリガジャッキ４２の作動等は、車体１１上に設けられた油圧駆動源（図示せず）からの油圧供給により油圧アクチュエータ（油圧モータ、油圧シリンダ等）を駆動して行われる。このため、この油圧供給を制御するための複数の制御バルブが車体１１上に設けられ、この制御バルブの作動制御は、作業操作台３０の椅子３１に座った作業者が操作レバー３３等を操作して行われる。
【００２５】
本実施形態の穴掘建柱車１には、図３および図４に示すように、前後のアウターポスト４２ａの上部に、電柱Ｄ等の対象物を当接支持するための断面が略凹字状の溝部５０ａが形成された、支持ブラケット５０が設けられている。このような支持ブラケット５０に電柱Ｄを支持させることにより、穴掘建柱車１は、アウトリガビーム４１の張り出し機能を利用して、架線Ｋの下を通って道路外側までスライド移動させることができるようになっている。なお、図４においては、支持ブラケット５０の構成をより分かりやすくするため、穴掘建柱車１の構成の一部を省略している（例えば、車輪等）。
【００２６】
ここで、上記支持ブラケット５０を備えた穴掘建柱車１を用いて電柱の建柱作業を行う場合について説明する。
【００２７】
作業前においては、ブーム１２は、図１および図２に示すように、縮小状態で車体１１の後方且つ斜め下方に延びた状態で車体１１の上に格納される。このとき、アースオーガ装置１５は縮小状態のブーム１３の側方に沿って延びて格納保持され、ブーム１３はブームレスト１６の上に載置される。
【００２８】
作業を開始するにあたり、アウトリガビーム４１を車体１１の左右に張り出し、アウトリガジャッキ４２を下方に伸長させて、車体１１を安定支持させた上で、以下の作業を行う。
【００２９】
まず、建柱穴Ｈの掘削作業を行う場合には、図２に示すように、オーガブラケット１５ａを先端ブーム１３ｃの先端部に位置させた状態にする。そして、ブーム１３の起伏動や伸縮動あるいは旋回台１２の旋回動を行わせ、先端ブーム１３ｃの先端部から吊り下げられた状態のアースオーガ装置１５を所望位置まで移動させた後に、オーガスクリュー１５ｃを回転させながらブーム１３を倒伏動させ、建柱穴Ｈの掘削作業を行う。
【００３０】
続いて、電柱Ｄの吊り上げ・建て入れ作業を行う場合には、図１および図５に示すように、オーガブラケット１５ａは基端ブーム１３ａに結合させて格納保持させ、このままの状態でブーム１３の起伏・伸縮動および旋回台１２の旋回動を行わせ、先端ブーム１３ｃの先端のブームヘッド２０を所望位置に移動させる。ブームヘッド２０から吊り下げられたフック１８に電柱Ｄにくくりつけられたロープ１９ａを引っかけて、例えば電柱運搬車等により作業現場に運搬された電柱Ｄを吊り上げ、支持ブラケット５０の溝部５０ａ上に載置させた後に、一旦フック１８から電柱Ｄにくくりつけられたロープ１９ａを外す。
【００３１】
そして、電柱Ｄを支持ブラケット５０に載置させたまま、作業者は操作レバー３３や不図示のビーム操作レバー等を操作して、インナーポスト４２ｂを接地板４２ｃと地面とが接触しない程度に上方に縮動させ、前後するアウトリガビーム４１を同時に同じ量だけ車体１１の外側（図中の矢印方向）に張り出させる。
【００３２】
支持ブラケット５０に載置された電柱Ｄが架線Ｋの下を通り、道路Ｒの外側を越えた所定位置（例えば、建柱穴Ｈの近傍）に到達したら、再びインナーポスト４２ｂを下方に伸長させて接地板４２を接地させる（図５参照）。そして、ブーム１３を作動させて架線Ｋの上を跨がせた後、ブーム１３の先端から吊り下げられているフック１８に電柱Ｄのロープ１９ａを再び引っかけ、ウインチによりワイヤを巻き取ったり、ブーム１３を作動させるなどして電柱Ｄを吊り上げ、その下端が建柱穴Ｈ上に位置させ、ブーム１３を倒伏・縮小動等させて電柱Ｄを建柱穴Ｈに建て入れる（図４及び図５参照）。
【００３３】
なお、本実施形態においては、車体１１の前側よりも後側のアウトリガビーム４１の張り出し幅を大きくするなど、電柱を建柱穴Ｈに建て入れる作業を容易とするため、アウトリガビーム４１の張り出し幅を前後で違えていてもよい。
【００３４】
以上のように、本実施形態に係る穴掘建柱車１は、アウターポスト４２ａの上部に設けられた支持ブラケット５０に電柱Ｄを支持させることにより、アウトリガビーム４１の張り出し機能を利用して電柱Ｄをスライド移動させ、従来のようにブーム１３を架線を跨らせることなく、容易に架線Ｋの下をくぐらせて、建柱穴Ｈの近傍の所望位置へと移動させることができる。その結果、効率良く安全に建柱作業を進めることが可能となる。
【００３５】
これまで本発明の好ましい実施形態について説明してきたが、本発明の範囲は、上記実施形態に限定されるものではなく、本発明の要旨を逸脱しない範囲であれば適宜改良可能である。
【００３６】
例えば、本実施形態において、支持ブラケット５０は、前後するアウターポスト４２ａのそれぞれに設けているが、これに限定されず、前後するアウターポスト４２ａのどちらか一方だけでも構わない。
【００３７】
また、本実施形態においては、支持ブラケット５０は前後するアウターポスト４２ａのそれぞれに設けられ、該ブラケット５０では対象物を支持する高さがほぼ同じ位置であるが、これに限定されず、前後する支持ブラケット５０において対象物を支持する高さを違えてもよい。例えば、対象物が電柱Ｄ等の長尺物であった場合などは、対象物の先端側を支持するブラケット５０の支持位置の方が高くなるように構成すると、建柱作業を行う際に、対象物を支持する作業を容易とすることができる。
【００３８】
また、支持ブラケット５０は、本実施形態のように車体片側のアウターポスト４２ａの上部にだけ設けるのではなく、車体両側のアウターポスト４２ａの上部に取り付けてもよい。
【００３９】
また、本実施形態の支持ブラケットは、図６に示すように、アウターポスト４２ａの上部から車軸方向に延びて固設されるアウターガイド６１と、車体１１上から車体外側に向かって延びて固設されアウターガイド６１の内部にスライド移動可能に嵌挿されたインナーガイド６２と、アウターガイド６１から上方に延びて設けられ電柱Ｄ等の対象物を当接支持するため断面が略凹字状である支持部６３とからなり、アウトリガビーム４１の張り出し機能を利用して、対象物のスライド移動が可能となるように変形して構成することもできる。
【００４０】
また、本実施形態の支持ブラケットは、前記車体の前後方向に延びた樋状の部材で形成してもよい。この構成により、長尺物の支持を容易に行うことができる。さらに、断面形状が凹字状であると、電柱等の円形部材の対象物を安定して支持することができるため、より望ましい。
【図面の簡単な説明】
【００４１】
【図１】本発明に係る作業車の構成およびこれによる電柱の吊り上げ作業を示す側面図である。
【図２】本発明に係る作業車の構成およびこれによる建柱穴の掘削作業を示す側面図である。
【図３】本発明に係る支持ブラケットの構成を説明する斜視図である。
【図４】本発明に係る支持ブラケットおよびこれを備える作業車の構成を説明する斜視図である。
【図５】本発明に係る作業車を用いた建柱作業の説明図である。
【図６】本発明に係る支持ブラケットの変形例を示す平面図である。
【符号の説明】
【００４２】
１  穴掘建柱車（作業車）
１１    車体
４０  アウトリガ装置
４１  アウトリガビーム
４２  アウトリガジャッキ
４２ａ  アウターポスト
５０  支持ブラケット（対象物支持手段）
５０ａ  溝部
【図１】
0005390113.tif 000002
【図２】
0005390113.tif 000003
【図３】
0005390113.tif 000004
【図４】
0005390113.tif 000005
【図５】
0005390113.tif 000006
【図６】
0005390113.tif 000007